(57)【特許請求の範囲】
【請求項１】
それぞれ内側に収容空間が形成され自立した大小複数の仕切り部材が入れ子状に配置され、最も外側に位置する仕切り部材を除くそれぞれの仕切り部材がスライドされることにより全体として伸縮自在とされてなるとともに、
少なくとも、上記最も外側に位置する仕切り部材を除くそれぞれの仕切り部材には、キャスターが配置されてなるとともに、特定の仕切り部材と該特定の仕切り部材の外側に配置された他の仕切り部材とには、該他の仕切り部材内から上記特定の仕切り部材が抜け出るのを防止する抜き出し規制部材が相対的に形成され、該特定の仕切り部材を上記他の仕切り部材内に挿入した際に所定以上の挿入を規制する挿入規制部材が形成され、
上記複数の仕切り部材のうちで最も外側に位置する仕切り部材の外面側には、背面側板部が形成され、最も内側に位置する仕切り部材には、正面側板部が形成されてなり、
上記背面側板部の背面には、それぞれ支軸を中心に回動可能とされた一方の左脚部材と一方の右脚部材とがそれぞれ配置され、
上記正面側板部の正面には、それぞれ支軸を介して回動可能とされた他方の左脚部材と他方の右脚部材とが配置され、
上記一方の左脚部材及び一方の右脚部材並びに他方の左脚部材及び他方の右脚部材は、上記それぞれの支軸を介して回動操作することにより、上記最も外側に位置する仕切り部材及び最も内側に位置する仕切り部材の高さ方向に長さを有する状態から、上記複数の仕切り部材全体の伸縮方向と直交する方向に長さを有し床又は地上に先端側が当接する状態に亘って、それぞれ回動可能とされてなるとともに、
上記仕切り部材の高さ方向に長さを有する状態と、上記床又は地上に先端側が当接する状態とは、それぞれ固定用ネジにより固定されるように構成されてなることを特徴とする空間仕切り構造物。
【請求項２】
前記それぞれの仕切り部材には、左側面板部と右側面板部とを備え、これら左側面板部と右側面板部とにはそれぞれ開口が形成されてなるとともに、各開口には閉塞板が取り付けられ、該閉塞板は、透明又は有色透明とされた樹脂により一体成形されてなるとともに、内側面又は外側面にはレーザービームを反射する反射膜がコーティングされてなるか、又は、レーザービーム吸収材が添加された樹脂からなることを特徴とする請求項１の空間仕切り構造物。
【請求項３】
前記各仕切り部材の左側面板部又は右側面板部の少なくとも何れかには、太陽光パネルが取り付けられる傾斜板部が形成されてなることを特徴とする請求項１又は２記載の何れかの空間仕切り構造物。
【発明の詳細な説明】
【技術分野】
【０００１】
本発明は、床上や地上等の空間を仕切るために設置される使用される衝立，間仕切り又はパーテーション等（以下、これらを仕切る空間仕切り構造物という。）に関するものであり、特に伸縮機能を備えた自立性を有する空間仕切り構造物に関する。
【背景技術】
【０００２】
衝立，間仕切り又はパーテーション等の空間仕切り構造物は、これまで様々なものが提案され、また実施されている。例えば、複数の板体を蝶番により連結するとともに、該蝶番を介して折り畳み可能としたもの（特許文献１参照）や、天井にレールを取り付け、このレールに支持されながら該レールにガイドされてスライドする間仕切りパネル（特許文献２参照）や、パンタグラフ状の伸縮部材を用いて内側と外側とを門扉として仕切るもの（特許文献３参照）など、様々な構造のものが存在する。また、パーテーションには、レーザー加工機等の工作機械の周囲を囲うものも存在する。
【先行技術文献】
【特許文献】
【０００３】
【特許文献１】特開２０１１−１０６２２３号公報
【特許文献２】特開２００１−３２４１９号公報
【特許文献３】特開２０１２−８７５２０号公報
【発明の概要】
【発明が解決しようとする課題】
【０００４】
しかしながら、上述した特許文献１に開示された衝立のように、蝶番を介して折り畳み可能とされたものでは、折り畳むことによりコンパクト化されるものの、一方のパネルと該一方のパネルに蝶番を介して連結された他方のパネルとが重なるように操作しなければ折り畳むことができないことから、広げられた状態から折り畳む際、また、折り畳まれた状態から広げられた状態とするためには、所定の広さが確保されていなければならない。また、上記特許文献２に開示された間仕切りパネルでは、天井にレールを取り付けなければ設置することはできないことから、工場のように天井が極めて高い場所や、そもそも天井がない屋外では設置することはできない。また、特許文献３に開示された門扉のように、パンタグラフ状の部材を用いて伸縮させる構造では、地上から起立した支柱を固定しなければならないことから、こうした支柱が固定できない工場や室内では利用することができない。
【０００５】
そこで、本発明は、上述した従来の各種の空間仕切り構造物が有する課題を解決するために提案されたものであって、伸縮操作をする際においてその伸縮方向と交差する方向に操作したり部材をその交差する方向に移動させたりする必要が無く直線状に操作することができるとともに、天井を一切利用する必要性が無く、さらに、特定の支柱も設ける必要のない新規な空間仕切り構造物を提供することを目的とするものである。
【課題を解決するための手段】
【０００６】
本発明は、上記課題を解決するために提案されたものであって、第１の発明（請求項１記載の発明）は、それぞれ内側に収容空間が形成され自立した大小複数の仕切り部材が入れ子状に配置され、最も外側に位置する仕切り部材を除くそれぞれの仕切り部材がスライドされることにより全体として伸縮自在とされ、少なくとも、上記最も外側に位置する仕切り部材を除くそれぞれの仕切り部材には、キャスターが配置されてなるとともに、特定の仕切り部材と該特定の仕切り部材の外側に配置された他の仕切り部材とには、該他の仕切り部材内から上記特定の仕切り部材が抜け出るのを防止する抜き出し規制部材が相対的に形成され、該特定の仕切り部材を上記他の仕切り部材内に挿入した際に所定以上の挿入を規制する挿入規制部材が形成されてなるとともに、上記複数の仕切り部材のうちで最も外側に位置する仕切り部材の外面側には、背面側板部が形成され、最も内側に位置する仕切り部材には、正面側板部が形成されてなり、上記背面側板部の背面には、それぞれ支軸を中心に回動可能とされた一方の左脚部材と一方の右脚部材とがそれぞれ配置され、上記正面側板部の正面には、それぞれ支軸を介して回動可能とされた他方の左脚部材と他方の右脚部材とが配置され、上記一方の左脚部材及び一方の右脚部材並びに他方の左脚部材及び他方の右脚部材は、上記それぞれの支軸を介して回動操作することにより、上記最も外側に位置する仕切り部材及び最も内側に位置する仕切り部材の高さ方向に長さを有する状態から、上記複数の仕切り部材全体の伸縮方向と直交する方向に長さを有し床又は地上に先端側が当接する状態に亘って、それぞれ回動可能とされてなるとともに、上記仕切り部材の高さ方向に長さを有する状態と、上記床又は地上に先端側が当接する状態とは、それぞれ固定用ネジにより固定されるように構成されてなることを特徴とするものである。
【０００７】
上記第１の発明では、全体の長さが最も縮小されている状態において、最も内側に位置する特定の仕切り部材を引き出すと、その特定の仕切り部材は自立した状態のままキャスターの転動により、該仕切り部材の外側に位置する他の仕切り部材から直線状に抜き出され、所定の長さに亘って該特定の仕切り部材が抜き出されると、上記抜き出し規制部材により、それ以上該特定の仕切り部材は他の仕切り部材から抜き出すことはできず、この結果、上記他の仕切り部材（ここでは特定の仕切り部材）が更に他の仕切り部材から抜き出される。このようにして、最も内側に位置する仕切り部材から順番に各仕切り部材が抜き出され、最も外側に位置する一番大きな仕切り部材を除く仕切り部材の全てが引き出されることにより、最も伸長された状態となる。
【０００８】
そして、このように最も伸長された状態とされた空間仕切り構造物において、上記最も内側に位置する特定の仕切り部材を、該特定の仕切り部材の外側に位置する他の仕切り部材内に挿入するよう操作し、所定位置まで挿入されると、上記挿入規制部材によって、それ以上挿入できなくなるとともに、他の仕切り部材が、その外側に位置する仕切り部材内に挿入されて行くこととなり、最終的には最も外側に位置する仕切り部材に形成された収容空間内に他の仕切り部材の全てが収容される。
【０００９】
したがって、この第１の発明に係る空間仕切り構造物によれば、伸縮操作をする際においてその伸縮方向と交差する方向に操作したり部材をその交差する方向に移動させたりする必要が無く直線状に操作することができるとともに、それぞれの仕切り部材は自立していることから、天井を一切利用する必要性が無く、さらに、特定の支柱も設ける必要がない。なお、この発明を構成する各仕切り部材の形状は、入れ子状となるよう重ねられる形状であれば良く、四角形状でも三角形状でも良く、或いは幾何学形状であっても良い。
【００１０】
また、この発明では、上記複数の仕切り部材のうちで最も外側に位置する仕切り部材の外面側には、背面側板部が形成され、最も内側に位置する仕切り部材には、正面側板部が形成されてなり、上記背面側板部の背面には、それぞれ支軸を中心に回動可能とされた一方の左脚部材と一方の右脚部材とがそれぞれ配置され、上記正面側板部の正面には、それぞれ支軸を介して回動可能とされた他方の左脚部材と他方の右脚部材とが配置され、上記一方の左脚部材及び一方の右脚部材並びに他方の左脚部材及び他方の右脚部材は、上記それぞれの支軸を介して回動操作することにより、上記最も外側に位置する仕切り部材及び最も内側に位置する仕切り部材の高さ方向に長さを有する状態から、上記複数の仕切り部材全体の伸縮方向と直交する方向に長さを有し床又は地上に先端側が当接する状態に亘って、それぞれ回動可能とされてなるとともに、上記仕切り部材の高さ方向に長さを有する状態と、上記床又は地上に先端側が当接する状態とは、それぞれ固定用ネジにより固定されるように構成されている。
【００１１】
この発明を構成する一方の左脚部材及び一方の右脚部材並びに他方の左脚部材及び他方の右脚部材は、上記それぞれの支軸を介して回動操作することにより、上記最も外側に位置する仕切り部材及び最も内側に位置する仕切り部材の高さ方向に長さを有する状態から、上記複数の仕切り部材全体の伸縮方向と直交する方向に長さを有し床又は地上に先端側が当接する状態に亘って、それぞれ回動可能とされてなるとともに、上記仕切り部材の高さ方向に長さを有する状態と、上記床又は地上に先端側が当接する状態とは、それぞれ固定用ネジにより固定されるように構成されていることから、使用しない場合には、仕切り部材の高さ方向に長さを有する状態に固定用ネジにより固定することができ、使用する（機能させる）場合には、仕切り部材全体の伸縮方向と直交する方向に長さを有し床又は地上に先端側が当接する状態に固定することができる。
【００１２】
したがって、この発明に係る空間仕切り構造物によれば、自立性をより安定的なものすることができ、不用意に転倒することを有効に防止することができる。また、上記一方の左脚部材及び一方の右脚部材並びに他方の左脚部材及び他方の右脚部材は、使用しない場合には、仕切り部材の高さ方向に長さを有する状態とすることができることから、空間を仕切るために使用されず、例えば倉庫などに収容される場合は、コンパクト化することができ、上記一方の左脚部材及び一方の右脚部材並びに他方の左脚部材及び他方の右脚部材が邪魔になることを防ぐことができる。
【００１３】
また、第２の発明（請求項２記載の発明）は、上記第１の発明において、前記それぞれの仕切り部材には、左側面板部と右側面板部とを備え、これら左側面板部と右側面板部とにはそれぞれ開口が形成されてなるとともに、各開口には閉塞板が取り付けられ、該閉塞板は、透明又は有色透明とされた樹脂により一体成形されてなるとともに、内側面又は外側面にはレーザービームを反射する反射膜がコーティングされてなるか、又は、レーザービーム吸収材が添加された樹脂からなることを特徴とするものである。
【００１４】
上記透明又は有色透明とされた樹脂としては、例えばアクリル樹脂やポリカーボネート樹脂等を使用することができる。また、上記レーザービームを反射する反射膜としては、例えばアルミニウムやこのアルミニウムの上にフッ化マグネシウム（ＭｇＦ２）を保護コーティングしたもの、或いは、上記アルミニウムの上に一酸化シリコン（ＳｉＯ）を保護コーティングしたものものであっても良い。また、これらの外に、金が反射膜としてコーティングされたものであっても良い。また、上記レーザービーム吸収材としては、例えば、ポリフェニレンスルフィド（ＰＰＳ）や、カーボンブラック，酸化チタン，酸化亜鉛等の無機材料を用いることができる。
【００１５】
上述した第２の発明に係る空間仕切り構造物によれば、ファイバーレーザーやＹＡＧレーザーを用いたレーザー加工機の周囲を囲むパーテーションとしての空間仕切り構造物として使用することにより、レーザー光により作業者の目を傷めることなく、上記閉塞板を介して該レーザー加工機を外部から視認することができる。すなわち、この第２の発明に係る空間仕切り構造物は、レーザー加工機の周囲を覆う言わばレーザー加工機用カバー装置と言う事もできるものであり、レーザー加工機とは別個独立してなるものであることから、レーザー加工機とは分離して移動・運搬させることも可能となり、また、レーザー加工機との距離も任意に選択することができる。こうした点では、レーザー加工機と一体型のカバー装置と比較すると、該レーザー加工機の外形の大型化を避けることができ、例えばコンテナ等のような一定の容積内に収容できないものを、このようにレーザー加工機用カバー装置として別体とすることにより、一定の容積内に収容できるようになると言う効果もある。
【００１６】
また、第３の発明（請求項３記載の発明）は、上記第１又は第２の発明の何れかにおいて、前記各仕切り部材の左側面板部又は右側面板部板の少なくとも何れかには、太陽光パネルが取り付けられる傾斜板部が形成されてなることを特徴とするものである。
【００１７】
この第３の発明に係る空間仕切り構造物は、太陽光が照射される屋外に設置されるものであり、駐車場スペースや空き地等を仕切るために使用されるものであり、上記傾斜板部を太陽光パネルの設置スペースとして利用することができる。
【発明の効果】
【００１８】
上記第１の発明（請求項１記載の発明）に係る空間仕切り構造物によれば、伸縮操作をする際においてその伸縮方向と交差する方向に操作したり部材をその交差する方向に移動させたりする必要が無く直線状に操作することができるとともに、それぞれの仕切り部材は自立していることから、天井を一切利用する必要性が無く、さらに、特定の支柱も設ける必要がない。換言すれば、この発明に係る空間仕切り構造物によれば、折り畳む操作をする必要が無いことから、狭いスペースにおいても使用することができ、また、各仕切り部材は自立性を有していることから、天井から吊るす等して支持したり、或いは一端側を支柱により支持させたりする必要性がなく、屋外でも屋内でも使用環境を制約されることなく自由に設置することができる。
【００１９】
また、上記発明に係る空間仕切り構造物によれば、自立性をより安定的なものすることができ、不用意に転倒することを有効に防止することができる。また、上記一方の左脚部材及び一方の右脚部材並びに他方の左脚部材及び他方の右脚部材は、使用しない場合には、仕切り部材の高さ方向に長さを有する状態とすることができることから、空間を仕切るために使用されず、例えば倉庫などに収容される場合は、コンパクト化することができ、上記一方の左脚部材及び一方の右脚部材並びに他方の左脚部材及び他方の右脚部材が邪魔になることを防ぐことができる。
【００２０】
また、第２の発明（請求項２記載の発明）に係る空間仕切り構造物によれば、ファイバーレーザーやＹＡＧレーザーを用いたレーザー加工機の周囲を囲むパーテーションとしての空間仕切り構造物として使用することにより、レーザー光により作業者の目を傷めることなく、上記閉塞板を介して該レーザー加工機を外部から視認することができる。
【００２１】
また、第３の発明（請求項３記載の発明）に係る空間仕切り構造物によれば、太陽光が照射される屋外に設置されることにより、駐車場スペースや空き地等を仕切るために使用できるばかりか、上記傾斜板部を太陽光パネルの設置スペースとして利用することができる。
【図面の簡単な説明】
【００２２】
【図１】第１の実施の形態に係る空間仕切り構造物の分解斜視図である。
【図２】第１の実施の形態に係る空間仕切り構造物を最も伸長した状態を示す斜視図である。
【図３】図２に示す空間仕切り構造物の正面図である。
【図４】図２に示す空間仕切り構造物の背面図であって、一方の左脚部材と一方の右脚部材とを開いた状態を示す背面図である。
【図５】図４に示す図２に示す空間仕切り構造物を構成する一方の左脚部材と一方の右脚部材とを閉じた状態を示す背面図である。
【図６】図５に図示した一部を拡大してして示す背面図である。
【図７】第１の実施の形態に係る空間仕切り構造物を最も縮小した状態を示す斜視図である。
【図８】第２の実施の形態に係る空間仕切り構造物を最も伸長した状態を示す斜視図である。
【図９】第３の実施の形態に係る空間仕切り構造物を最も伸長した状態を示す斜視図である。
【図１０】第３の実施の形態に係る空間仕切り構造物を最も縮小した状態を示す斜視図である。
【発明を実施するための形態】
【００２３】
以下、本発明を実施するための最良の形態を、図面を参照しながら詳細に説明する。先ず、第１の実施の形態に係る空間仕切り構造物について図面を参照しながら詳細に説明する。
【００２４】
この第１の実施の形態に係る空間仕切り構造物１は、図１に示すように、第１ないし第３の仕切り部材２，３，４を備えている。これら第１ないし第３の仕切り部材２，３，４のうち、第１及び第２の仕切り部材２，３の内側は収容空間が形成されている。上記第１の仕切り部材２は、最も外側に位置しているものであって、縦方向に長さを有する左側面板部２ａと、この左側面板部２ａと同じ面積となされ該左側面板部２ａと対向してなる右側面板部２ｂと、上記左側面板部２ａの後端と右側面板部２ｂの後端とから折曲されてなる背面側板部２ｃ（図５参照）と、左右両端が上記左側面板部２ａと右側面板部２ｂの各上端から折曲されてなる天板部２ｄとを備えている。そして、上記左側面板部２ａの下端には、上記右側面板部２ｂ側とは反対側に折曲されてなる左折曲片２ｅが形成され、上記左側面板部２ａの下端には、上記右側面板部２ｂの下端には、上記左側面板部２ａ側とは反対側に折曲されてなる右折曲片２ｆが形成されている（図６参照）。
【００２５】
そして、上記左折曲片２ｅには、水平板部と垂直板部とからなり、端面がＬ字状に折曲された左固定金具６が複数のネジ（符号は省略する。）を介して固定され、この左固定金具６を構成する垂直板部には、３つのキャスター８がそれぞれ回動自在に配置されている（図４参照））。また、上記右折曲片２ｆには、水平板部と垂直板部とからなり、端面がＬ字状に折曲された右固定金具７が複数のネジ（符号は省略する。）を介して固定され、この右固定金具６を構成する垂直板部には、３つのキャスター９がそれぞれ回動自在に配置されている。これらのキャスター８，９は、それぞれ図示しない地面又は床面を、後述するように、この空間仕切り構造物１の伸縮方向に転動するものである。
【００２６】
また、上記左側面板部２ａの内側面と右側面板部２ｂの内側面とには、図１に示すように、それぞれ端面がＬ字状に成形された取付金具１０を介して複数のベアリング１１が固定されている。なお、上記複数の取付金具１０の中で、最も正面側に配置された上下方向に並ぶ３つの取付金具１０の固定位置よりもやや背面側板部２ｃ側に固定された上下方向に並ぶ３つの取付金具１０の内で、最も上方に固定された取付金具１０Ａと最も下方に固定された取付金具１０Ｂとは、後述する第２の仕切り部材３に形成された各当接部材２８又は当接部材２９に当接する部材である（図３参照）。
【００２７】
そして、この第１の仕切り部材２の背面側板部２ｃには、図４に示すように、一方の左脚部材１２と、一方の右脚部材１３がそれぞれ一方の左支軸１４や一方の右支軸１５を中心に回動可能に配置されている。上記一方の左支軸１４と一方の右支軸１５とは、それぞれ上記第１の仕切り部材２の背面側板部２ｃの下端側に水平方向に並んで軸止されてなるものである。そして、上記一方の左脚部材１２と一方の右脚部１３とは、直線状に成形された長尺部１２ａ、１３ａと、この長尺部１２ａ，１３ａの先端から折れ曲がって形成され該長尺部１２ａの長さよりも短い長さに成形された短尺部１２ｂ，１３ｂとから構成されている。また、上記一方の左脚部材１２と一方の右脚部１３とを構成する各長尺部１２ａ，１３ａの基端側には、上記一方の左支軸１４又は一方の右支軸１５が挿通される図示しない挿通穴と、該一方の左脚部材１２と一方の右脚部１３とが図４に示すように直線状に固定する場合に、固定用ネジ１７，１８を挿通するための図示しない挿通穴と、上記各長尺部１２ａ，１３ａが、図６に示すように、平行となるように回動させた状態を固定するために使用される上記固定用ネジ１７，１８を挿通するための挿通穴１２ｃ，１３ｃが穿設されている。
【００２８】
また、上記第１の仕切り部材２の背面側板部２ｃの下端側には、上記一方の左支軸１４又は一方の右支軸１５が螺着される図示しないネジ穴と、このネジ穴に対して水平方向に並んで形成され上記固定用ネジ１７，１８が螺着されるネジ穴２ｊ，２ｋと、上記各長尺部１２ａ，１３ａが、図６に示すように、平行となるように回動させた状態を固定するために使用される上記固定用ネジ１７，１８が螺着されるネジ穴２ｌ，２ｍがそれぞれ形成されている。したがって、この空間仕切り構造物１では、上記固定用ネジ１７，１８を利用して、図４に示すように、一方の左脚部材１２と一方の右脚部１３とをそれぞれ構成する長尺部１２ａ，１３ａが一直線状となるように固定できるとともに、図６に示すように、該長尺部１２ａ，１３ａが平行となるように固定することができるように構成されている。すなわち、上記第１の仕切り部材２は、上記左側面板部２ａと右側面板部２ｂとの間の面を境に対称に成形されている。
【００２９】
次に、上記第２の仕切り部材３に付いて説明する。この第２の仕切り部材３は、図１に示すように、縦方向に長さを有するとともに上記第１の仕切り部材２を構成する左側面板部２ａよりもやや長さ幅が短くされた左側面板部３ａと、この左側面板部３ａと同じ面積となされ該左側面板部３ａと対向してなる右側面板部３ｂと、上記左側面板部３ａの後端と右側面板部３ｂの後端とから折曲されてなる背面側板部３ｃと、左右両端が上記左側面板部３ａと右側面板部３ｂの各上端から折曲されてなる天板部３ｄとを備えている。そして、上記左側面板部３ａの下端には、上記右側面板部３ｂ側とは反対側に折曲されてなる左折曲片３ｅが形成され、上記右側面板部３ｂの下端には、上記左側面板部３ａ側とは反対側に折曲されてなる右折曲片３ｆが形成されている（図６参照）。なお、上記左折曲片３ｅは、上記左折曲片２ｅの高さよりもやや下方に位置し、同様に、上記右折曲片３ｆは、上記右折曲片２ｆの高さよりもやや下方に位置している。
【００３０】
そして、上記左折曲片３ｅには、水平板部と垂直板部とからなり、端面がＬ字状に折曲された左固定金具２３が複数のネジ（符号は省略する。）を介して固定され、この左固定金具２３を構成する垂直板部には、３つのキャスター２１がそれぞれ回動自在に配置されている（図４参照））。また、上記右折曲片３ｆには、水平板部と垂直板部とからなり、端面がＬ字状に折曲された右固定金具２２が複数のネジ（符号は省略する。）を介して固定され、この右固定金具２２を構成する垂直板部には、３つのキャスター２４がそれぞれ回動自在に配置されている。これらのキャスター２１，２４は、それぞれ図示しない地面又は床面を、後述するように、この空間仕切り構造物１の伸縮方向に転動するものである。なお、上記キャスター２１，２４の配置位置は、上記第１の仕切り部材２を構成するそれぞれ３つのキャスター８，９の配置位置よりも内側とされている。
【００３１】
また、上記左側面板部３ａの内側面と右側面板部３ｂの内側面とには、図１に示すように、それぞれ端面がＬ字状に成形された取付金具２５を介して複数のベアリング２６が固定されている。なお、上記複数の取付金具２５の中で、最も正面側に配置された上下方向に並ぶ３つの取付金具２５の固定位置よりもやや背面側板部３ｃ側に固定された上下方向に並ぶ３つの取付金具２５の内で、最も上方に固定された取付金具２５Ａと最も下方に固定された取付金具２５Ｂとは、後述する第３の仕切り部材４に形成された各当接部材３８又は当接部材３９に当接する部材である。また、図３に示すように、上記左側面板部３ａの外側面であって上記背面側板部３ｃ側には２つの当接部材２８が固定され、また、上記右側面板部３ａの外側面であって上記背面側板部３ｃ側には二つの当接部材２９が固定されている。上記２つの当接部材２８，２９は、後述するように、上記第１の仕切り部材２内に位置している第２の仕切り部材３を引き出した際に、該第２の仕切り部材３が第１の仕切り部材２内から抜け出てしまうことを防止するために、上記第１の仕切り部材２を構成する左側面板部２ａと右側板部２ｂのそれぞれの内側面に固定された上記当接部材１０Ａ，１０Ｂに当接する部材である。なお、上記第２の仕切り部材３は、上記左側面板部３ａと右側面板部３ｂとの間の面を境に対称に構成されている。
【００３２】
次に、上記第３の仕切り部材４に付いて説明する。この第３の仕切り部材４は、図１に示すように、縦方向に長さを有するとともに上記第２の仕切り部材３を構成する左側面板部３ａよりもやや長さ幅が短くされた左側面板部４ａと、この左側面板部４ａと同じ面積となされ該左側面板部４ａと対向してなる右側面板部４ｂと、上記左側面板部４ａの後端と右側面板部４ｂの後端とから折曲されてなる背面側板部４ｃと、左右両端が上記左側面板部４ａと右側面板部４ｂの各上端から折曲されてなる天板部４ｄと、上記背面側板部４ｃと対向してなる正面側板部４ｅとを備えている。そして、上記左側面板部４ａの下端には、上記右側面板部４ｂ側とは反対側に折曲されてなる左折曲片４ｆが形成され、上記右側面板部４ｂの下端には、上記左側面板部４ａ側とは反対側に折曲されてなる右折曲片４ｇが形成されている。
【００３３】
そして、上記左折曲片４ｆには、水平板部と垂直板部とからなり、端面がＬ字状に折曲された左固定金具３１が複数のネジ（符号は省略する。）を介して固定され、この左固定金具３１を構成する垂直板部には、３つのキャスター３３がそれぞれ回動自在に配置されている（図３参照））。また、上記右折曲片４ｇには、水平板部と垂直板部とからなり、端面がＬ字状に折曲された右固定金具３２が複数のネジ（符号は省略する。）を介して固定され、この右固定金具３２を構成する垂直板部には、３つのキャスター３４がそれぞれ回動自在に配置されている。これらのキャスター３３，３４は、それぞれ図示しない地面又は床面を、後述するように、この空間仕切り構造物１の伸縮方向に転動するものである。これらのキャスター３３，３４は、それぞれ図示しない地面又は床面を、後述するように、この空間仕切り構造物１の伸縮方向に転動するものである。なお、上記キャスター３３，３４の配置位置は、上記第２の仕切り部材３を構成するそれぞれ３つのキャスター２１，２４の配置位置よりも内側とされている（図６参照）。
【００３４】
また、図３に示すように、上記左側面板部４ａの外側面であって上記背面側板部４ｃ側には２つの当接部材３８が固定され、また、上記右側面板部４ａの外側面であって上記背面側板部４ｃ側には２つの当接部材３９が固定されている。上記２つの当接片３８，３９は、後述するように、上記第２の仕切り部材３内に位置しているこの第３の仕切り部材４を引き出した際に、該第３の仕切り部材４が第２の仕切り部材３内から抜け出てしまうことを防止するために、上記第２の仕切り部材３を構成する左側面板部２ａと右側板部２ｂのそれぞれの内側面に固定された上記それぞれの当接部材２５Ａ，２５Ｂに当接する部材である。
【００３５】
また、上記正面側板部４ｅには、図１又は図３に示すように、この第３の仕切り部材４を操作することにより、空間仕切り構造物１を伸縮操作したり、該空間仕切り構造物１全体を他所に移動させたりする際に、作業者が把持するハンドル４１が固定されている。
【００３６】
そして、この第３の仕切り部材４の正面側板部４ｅには、図１ないし図３に示すように、他方の左脚部材５１と、他方の右脚部材５２がそれぞれ他方の左支軸５３や他方の右支軸５４を中心に回動可能に配置されている。上記他方の左支軸５３と他方の右支軸５４とは、それぞれ上記第３の仕切り部材４の正面側板部４ｅの下端側に水平方向に並んで軸止されてなるものである。そして、上記他方の左脚部材５１と他方の右脚部材５２とは、直線状に成形された長尺部５１ａ、５２ａと、この長尺部５１ａ，５２ａの先端から折れ曲がって形成され該長尺部５１ａの長さよりも短い長さに成形された短尺部５１ｂ，５２ｂとから構成されている。また、上記他方の左脚部材５１と他方の右脚部材５２とを構成する各長尺部５１ａ，５２ａの基端側には、上記他方の左支軸５３又は他方の右支軸５４が挿通される図示しない挿通穴と、該他方の左脚部材５１と他方の右脚部材５２とが図１に示すように直線状となるように固定する場合に、固定用ネジ５６，５７を挿通するための図示しない挿通穴と、上記各長尺部５１ａ，５２ａが平行となるように回動させた状態を固定するために使用される上記固定用ネジ５６，５７を挿通するための挿通穴５１ｃ，５２ｃが穿設されている。
【００３７】
また、上記第３の仕切り部材４の正面側板部４ｅの下端側には、上記他方の左支軸５３又は他方の右支軸５４が螺着される図示しないネジ穴と、このネジ穴に対して水平方向に並んで形成され上記固定用ネジ５６，５７が螺着される図示しないネジ穴と、上記各長尺部５１ａ，５２ａが、先に説明した一方の左支軸１２又は一方の右支軸１３を示す図６の状態と同じように、平行となるように回動させた状態を固定するために使用される上記固定用ネジ５６，５７が螺着されるネジ穴４ｌ，４ｍがそれぞれ形成されている。したがって、この空間仕切り構造物１では、上記固定用ネジ５６，５７を利用して、図１ないし図３に示すように、上記他方の左脚部材５１と他方の右脚部材５２とをそれぞれ構成する長尺部５１ａ，５２ａが一直線状となるように固定できるとともに、該長尺部５１ａ，５２ａが平行となるように固定することができるように構成されている。
【００３８】
また、図３に示すように、上記左側面板部４ａの外側面であって上記背面側板部４ｃ側には２つの当接部材３８が固定され、また、上記右側面板部４ａの外側面であって上記背面側板部４ｃ側には、図１に示すように、２つの当接部材３９が固定されている。上記それぞれ２つの当接片３８，３９は、後述するように、上記第２の仕切り部材３内に位置しているこの第３の仕切り部材４を引き出した際に、該第３の仕切り部材４が第２の仕切り部材３内から抜け出てしまうことを防止するために、上記第２の仕切り部材３を構成する左側面板部３ａと右側板部３ｂのそれぞれの内側面に固定された上記当接部材２５Ａ，１２５Ｂに当接する部材である。なお、上記第３の仕切り部材４は、上記左側面板部４ａと右側面板部４ｂとの間の面を境に対称に構成されている。
【００３９】
したがって、上述のように構成されたこの第１の実施の形態に係る空間仕切り構造物１によれば、図７に示す状態、すなわち最も縮小された状態において、上記第３の仕切り部材４を構成する把手４１を作業者が把持しながら、手前（第３の仕切り部材４の正面側板部４ｅから離間する方向）に引くと、この第３の仕切り部材４は、それぞれのキャスター３３，３４の転動により、第２の仕切り部材３内から引き出される。この場合、上記第３の仕切り部材４は、上記第２の仕切り部材３を構成する複数のベアリング２６の周面が第３の仕切り部材４を構成する左側板部４ａと右側板部４ｂに接触するともに転動する。したがって、極めてスムーズに上記第３の仕切り部材４は第２の仕切り部材３内から引き出される。この結果、第３の仕切り部材４の引き出し途中に、第２の仕切り部材３が引き出されることが防止されている。
【００４０】
そして、上記第３の仕切り部材４が所定の長さ引き出されると、やがてこの第３の仕切り部材４に固定された当接部材３８や当接部材３９が、第２の仕切り部材３に配置された取付金具２５Ａや取付金具２５Ｂに当接する。したがって、こうした当接部材３８，３９と取付金具２５Ａ，２５Ｂとの当接により、上記第３の仕切り部材４が第２の仕切り部材３内から抜け出てしまうことが防止されるとともに、さらに該第３の仕切り部材４をそのまま引き出す（手前に移動させる）ことにより、第２の仕切り部材３も上記キャスター２１，２４を介して同じ方向に移動する。すなわち、第２の仕切り部材３は、第１の仕切り部材２内から引き出される。こうした第２の仕切り部材３の移動の際にも、該第２の仕切り部材３を構成する左側板部３ａや右側板部３ｂは、第１の仕切り部材２に配置された複数のベアリング１１の周面に接触することから、極めてスムーズに上記第２の仕切り部材３は第１の仕切り部材２内から引き出される。この結果、第２の仕切り部材３の引き出し途中に、第１の仕切り部材２が移動してしまうことがない。
【００４１】
そして、上記第２の仕切り部材３が所定の長さ引き出されると、やがてこの第２の仕切り部材３に固定された当接部材２８，２９が、第１の仕切り部材２に配置された取付金具１０Ａ，１０Ｂに当接することとなり、こうした状態、すなわち図２に示す状態となった場合、それ以上この空間仕切り構造物１が伸長されることはない。
【００４２】
また、図２に示すように、最も伸長された空間仕切り構造物１を縮小させる場合には、上記ハンドル４１を把持しながら、上記方向とは反対方向に上記第３の仕切り部材４を移動させる。すなわち、第３の仕切り部材４を第２の仕切り部材３内に収容する方向に移動させる。そして、上記第３の仕切り部材４を構成する左側板部４ａや右側板部４ｂの後端部若しくは背面側板部４ｃが上記第２の仕切り部材３を構成する背面側板部３ｃに当接する。この結果、更に第３の仕切り部材４を移動させると、該第３の仕切り部材４と第２の仕切り部材３とが同時に第１の仕切り部材２内に収容される方向に移動し、やがて第２の仕切り部材３を構成する左側板部３ａや右側板部３ｂの後端部若しくは背面側板部３ｃが該第１の仕切り部材２を構成する背面側板部２ｃに当接すると、図７に示す状態、すなわち最も縮小された状態となる。なお、この実施の形態に係る空間仕切り構造物１では、上記第２の仕切り部材３を構成する背面側板部３ｃや第１の仕切り部材２を構成する背面側板部２ｃは、本発明を構成する挿入規制部材である。
【００４３】
また、この実施の形態に係る空間仕切り構造物１では、上記第１の仕切り部材２には一方の左脚部材１２及び一方の右脚部材１３がそれぞれ一方の左支軸１４や一方の右支軸１５を中心に回動可能に配置されており、また、第３の仕切り部材４には、他方の左脚部材５１及び他方の右脚部材５２がそれぞれ他方の左支軸５３や他方の右支軸５４を中心に回動可能に配置されており、図２に示すように、それぞれ開いた状態で固定できるとともに、図５に（一方の左脚部材１２及び一方の右脚部材１３のみを）示すように、閉じた状態とすることもできることから、屋外や室内（工場内）において倒れることなく安定的に使用できるとともに、不要である場合には、上述したように、閉じることにより嵩張ることなくコンパクトな状態とすることができる。
【００４４】
したがって、この第１の実施の形態に係る空間仕切り構造物１によれば、伸縮操作をする際においてその伸縮方向と交差する方向に操作したり部材をその交差する方向に移動させたりする必要が無く、直線状に操作することができるとともに、天井を一切利用する必要性が無く、さらに、特定の支柱も設ける必要がない。
【００４５】
次に、本発明の第２の実施の形態に係る空間仕切り構造物７１に付いて、図８を参照しながら詳細に説明する。なお、図８中に使用する各部材の符号は、上記第１の実施の形態に係る空間仕切り構造物１と同一である場合には同じもの（符号）を用いる。
【００４６】
この第２の実施の形態に係る空間仕切り構造物７１は、図８に示すように、上記第１ないし第３の仕切り部材２，３，４を構成する各左側板部２ａ，３ａ，４ａと、各右側板部２ｂ，３ｂ，４ｂとには、それぞれ方形状の開口（符号は省略する。）が形成され、これらの開口にはそれぞれ閉塞板７２・・・７７が取り付けられている。これらの閉塞板７２・・・７７は、透明又は有色透明とされてなるとともにレーザービームを吸収する吸収剤（例えば、ポリフェニレンスルフィド（ＰＰＳ）や、カーボンブラック，酸化チタン，酸化亜鉛等）が添加されたアクリル樹脂により一体成形されてなるものである。
【００４７】
したがって、こうした構成からなる第２の実施の形態係る空間仕切り構造物７１によれば、図示しないファイバーレーザーやＹＡＧレーザーを用いたレーザー加工機の周囲を囲むパーテーションとしての空間仕切り構造物７１として使用することにより、レーザー光により作業者の目を傷めることなく、上記閉塞板を介して該レーザー加工機を外部から視認することができる。
【００４８】
なお、上記実施の形態に係る空間仕切り構造物７１では、レーザービームを吸収する吸収剤が添加された樹脂を閉塞板７２・・・７７の素材として使用したが、本発明では、必ずしも、上記レーザービームを吸収する吸収剤が添加された樹脂を用いることなく、透明又は有色透明とされた樹脂又はガラスの表面（内側面又は外側面）に、上記レーザービームを反射する反射膜（例えばアルミニウムやこのアルミニウムの上にフッ化マグネシウム（ＭｇＦ２）を保護コーティングしたもの、或いは、上記アルミニウムの上に一酸化シリコン（ＳｉＯ）を保護コーティングしたものもの）がコーティングされてなるものであっても良い。
【００４９】
次に、本発明の第３の実施の形態に係る空間仕切り構造物８１に付いて、図９及び図１０を参照しながら詳細に説明する。図９及び図１０中に使用する各部材の符号は、上記第１の実施の形態に係る空間仕切り構造物１と同一である場合には同じもの（符号）を用いる。
【００５０】
この第３の実施の形態に係る空間仕切り構造物８１は、上記第１の実施の形態に係る空間仕切り構造物１を構成する上記第１ないし第３の仕切り部材２，３，４を構成する各左側板部２ａ，３ａ，４ａ及び各右側板部２ｂ，３ｂ，４ｂに、それぞれソーラーパネルＳを載置する傾斜板部２ｗ・・・２ｚ，３ｗ・・・３ｚ，４ｗ・・・４ｚを形成したものであり、屋外で使用する場合には、図９に示すように伸長し、使用しない場合には、図１０に示すように縮小しコンパクト化された状態で倉庫等に保管することができる。そして、こうした空間仕切り構造物８１によれば、太陽光が照射される屋外に設置されることにより、駐車場スペースや空き地等を仕切るために使用できるばかりか、上記傾斜板部２ｗ・・・２ｚ，３ｗ・・・３ｚ，４ｗ・・・４ｚを太陽光パネルの設置スペースとして利用することができる。
【００５１】
なお、上記各実施の形態に係る各空間仕切り構造物１，７１，８１は、それぞれ３つの仕切り部材２，３，４から構成されたものをそれぞれ図示して説明したが、本発明に係る仕切り部材の数は、こうした数に限定されるものではなく、さらに多い数の仕切り部材からなるものであっても良いし、それぞれの仕切り部材の形状に関しても上記各実施の形態に係る各空間仕切り構造物１，７１，８１の形状に限定されるものではない。
【符号の説明】
【００５２】
１  空間仕切り構造物
２  第１の仕切り部材
２ａ  左側板部
２ｂ  右側板部
２ｃ  背面側板部
２ｄ  天板部
３  第２の仕切り部材
３ａ  左側板部
３ｂ  右側板部
３ｃ  背面側板部
３ｄ  天板部
４  第３の仕切り部材
４ａ  左側板部
４ｂ  右側板部
４ｃ  背面側板部
４ｄ  天板部
１０Ａ  取付金具
１０Ｂ  取付金具
１２  一方の左脚部材
１３  一方の右脚部材
２１  キャスター
２４  キャスター
２８  当接部材
２９  当接部材
３３  キャスター
３４  キャスター
５１  他方の左脚部材
５２  他方の右脚部材
７１  空間仕切り構造物
７２・・・７７  閉塞板
８１  空間仕切り構造物
２ｗ  傾斜板部
２ｘ  傾斜板部
２ｙ  傾斜板部
２ｚ  傾斜板部
Ｓ  太陽光パネル
【図１】
0006030343.tif 000002
【図２】
0006030343.tif 000003
【図３】
0006030343.tif 000004
【図４】
0006030343.tif 000005
【図５】
0006030343.tif 000006
【図６】
0006030343.tif 000007
【図７】
0006030343.tif 000008
【図８】
0006030343.tif 000009
【図９】
0006030343.tif 000010
【図１０】
0006030343.tif 000011